(57)【特許請求の範囲】
【請求項１】
搾乳器用の乳房インターフェースであって、
ライナーと、
前記ライナーの少なくとも一部を受容するライナー支持フレーム内部空間を画成し、前部リングと、後部リングと、前記前部リング及び前記後部リングを、前記前部リング及び前記後部リングが軸方向において離間されているように、相互接続する少なくとも１つのアームと、を含む、ライナー支持フレームと、を含み、
前記ライナーは、
乳房接触面を画成する前壁部と、前記乳房接触面に設けられた開口とを含み、前記乳房接触面は、使用時に、女性の乳房に当接する一方で、前記乳房の乳首は、前記開口を通り少なくとも部分的に突出する、前部セクションと、
前記前部セクションに接続され、後端開口を有する管状壁部を含む後部セクションと、を含み、
前記前部セクション及び前記後部セクションは共に、前記乳房接触面における前記開口から前記管状壁部における前記後端開口まで延在する乳用通路を少なくとも部分的に画成し、
前記ライナーは、使用姿勢において、前記前部セクションの長手軸が実質的に水平に延在する一方で、前記後部セクションの前記管状壁部は、前記乳用通路を部分的に境界付け、また、前記使用姿勢において、前記後端開口に向かって下方向に傾斜するように前記長手軸に対して角度を有し、前記後部セクションの前記管状壁部は、下方向へ先細りとなるティアドロップ形状の横断面を有し、前記ティアドロップ形状の横断面の形状により画定される溝を有し、前記溝の底部は、前記管状壁部の下部内側表面部分によって画成され、
前記ライナーの前記前部セクションは、前記ライナー支持フレームの前記前部リングに係合する一方で、前記ライナーの前記後部セクションの前記管状壁部は、前記ライナー支持フレームの前記後部リングによって、嵌るように受容される、乳房インターフェース。
【請求項２】
前記前部セクションの前記長手軸は、前記乳房接触面における前記開口の平面に実質的に垂直に延在する、請求項１に記載の乳房インターフェース。
【請求項３】
前記下部内側表面部分は、前記後部セクションの前記管状壁部の実質的に全長に亘って延在する、請求項１又は２に記載の乳房インターフェース。
【請求項４】
前記下部内側表面部分は、実質的に一定の傾斜角度で、前記前部セクションの前記長手軸に対して下方向に傾斜する、請求項１乃至３の何れか一項に記載の乳房インターフェース。
【請求項５】
前記使用姿勢において、前記下部内側表面部分は、前記前部セクションの前記長手軸に対して１０〜４５度の範囲内の平均下方向傾斜角度を有する、請求項１乃至４の何れか一項に記載の乳房インターフェース。
【請求項６】
前記ライナーの前記前部セクションは、前記ライナーの前部円周エッジと後部円周エッジの径方向位置間の径方向位置において、前記前壁部の背面に接続し、前記前壁部の前記背面から、後方方向に延在する環状基部壁部を含み、前記前壁部は、環状の逆流バリアを形成するように、前記環状基部壁部を越えて径方向内側に延在する、請求項１乃至５の何れか一項に記載の乳房インターフェース。
【請求項７】
前記前部セクションと前記後部セクションとの間に、前記後部セクションが前記前部セクションに中間セクションを介して接続されるように配置され、後部のテーパする漏斗状壁部を含む、前記中間セクションを更に含む、請求項１乃至６の何れか一項に記載の乳房インターフェース。
【請求項８】
前記ライナーの前記後部セクションの前記管状壁部の後端には、前記ライナー支持フレームの前記後部リングの内径よりも大きい外径を有し、また、前記乳房インターフェースの組み立てられた状態では、端部において、前記後部リングに当接する第１の環状フランジが設けられ、
前記後部リングは、前記ライナーの前記フランジが付いた後端の通過を容易とするように、互いに対して再配置可能である少なくとも２つの相補形の円周後部リング部分を含む分割後部リングである、請求項１乃至７の何れか一項に記載の乳房インターフェース。
【請求項９】
請求項１乃至８の何れか一項に記載の乳房インターフェースを含む搾乳器。
【発明の詳細な説明】
【技術分野】
【０００１】
本開示は、搾乳器に使用する乳房インターフェースに関し、当該乳房インターフェースは、フレキシブルライナーと、概して剛性であるライナー支持フレームとを含む。
【背景技術】
【０００２】
搾乳器は、当技術分野においてよく知られている。搾乳器は、通常、乳房にフィットする乳房インターフェース又は乳房シールドと、乳房インターフェース内に真空（負圧）を発生させるために乳房インターフェースと接続可能である真空ポンプとを含む。真空によって、乳房インターフェースは、乳房に引っ張られ、乳を搾り出すために乳房をマッサージする。搾り出された乳は、乳房インターフェースから集乳器に流れる。集乳器は、搾乳器に取り外し可能に接続される。
【０００３】
米国特許出願公開第２００９／０１７１２７０号は、搾乳器の付属装置について開示している。付属装置は、長手軸を有する漏斗形適用部と、適用部に隣接し、固定部によって接合される接続部とを有する。適用部は、適用部の長手軸が、固定部の回転軸に対し１８０°から逸れる角度位置に配置されるように、固定部に対してピボット可能に構成される。
【０００４】
米国特許出願公開第２００６／０１１６６３２号には、通路を形成する乳房シールドを含むリクライニング搾乳システムが開示されている。通路の一端に隣接する材料が、女性の乳首の周りの乳房にフィットするように成形されるフランジを形成する。通路のもう一端から延在する材料は、管を形成する。乳房の乳輪に平行な平面が、管の軸に垂直な平面から実質的に傾斜されて、管の偏差角が規定される。
【０００５】
米国特許出願公開第２００５／０２２２５３６号は、搾乳器の乳房シールドについて開示している。乳房シールドの第１の端は、広い横断面を有し、概して断面形状は円形である。第１の端は更に、円周フランジを含む。乳首トンネルが第１の端へと開き、第２の及び下流の端に向かって長手方向に延在する。乳房シールドの本体全体は、概して円筒形であり、乳房シールドは、その長手方向の長さに沿って湾曲していてもよい。
【０００６】
米国特許第６，９７４，４３９号は、乳房にフィットするカップアセンブリを有する少なくとも１つのエキスプレッサを含む搾乳デバイスについて開示している。カップアセンブリは、ベル状のハウジングと、比較的柔らかいドーナツ型パッドと、フレキシブルライナーとを含む。ライナーは、乳の入口開口付近では相対的に細い部分を、細い部分とカップアセンブリの出口端との間では広い部分とを有する。
【発明の概要】
【発明が解決しようとする課題】
【０００７】
従来の乳房インターフェースに関連付けられる問題は、それを使用する女性が、自身の乳房から搾り出された乳が確実に集乳器に向かい、その中に流れるように、前傾になる必要がある点である。１回の搾乳セッションには時間がかかり、特には３０分以上にも及ぶため、前傾姿勢は不快となる。
【０００８】
本開示は、上記問題を解決する又は少なくとも軽減するライナー及び当該ライナーを含む乳房インターフェースを提供することを目的とする。
【課題を解決するための手段】
【０００９】
このために、本開示の第１の態様は、乳房インターフェースに使用するライナーに関する。当該ライナーは、乳房接触面を画成する前壁部と、乳房接触面に設けられた開口とを含む前部セクションを含む。乳房接触面は、使用時に、女性の乳房に当接する一方で、乳房の乳首は、開口を通り少なくとも部分的に突出する。ライナーは更に、前部セクションに接続され、ライナーから乳を放出するための後端開口を有する管状壁部を含む後部セクションを含む。前部及び後部セクションは共に、乳房接触面における開口から管状壁部における後端開口まで延在する乳用通路を少なくとも部分的に画成する。更に、ライナーは、通常は、乳房接触面における開口の平面に実質的に垂直に延在する前部セクションの長手軸が実質的に水平に延在する使用姿勢に関連付けられる一方で、後部セクションの管状壁部は、乳用通路を部分的に境界付け、また、使用姿勢において、後方方向において見た場合に、長手軸に対して下方向に傾斜する下部内側表面部分を有する。後部セクションの管状壁部は、ティアドロップ形状の横断面を有する。ティアドロップ形状の横断面の細い部分は、溝を画定し、溝の底部は、下部内側表面部分によって画成される。
【００１０】
使用時、ここに開示されるライナーは、当該ライナーの前部セクションの乳房接触面が女性の乳房に接触するように、その使用姿勢に保持される。ライナーの前部セクションの長手軸は、実質的に水平に延在するが、後部セクションの管状壁部の下部内側表面部分は、それに対して下方向に傾斜する。したがって、乳房から搾り出された乳は、乳用通路を通り、管状壁部の後端開口に向かって自然に導かれ、後部開口に、動作上、接続される集乳器内に放出される。重力の作用による乳のライナーを通る自然な流れは、乳を搾り出す女性が前傾する必要をなくす。
【００１１】
ライナーの好適な実施形態では、下部内側表面は、後部セクションの管状壁部の実質的に全長に亘って延在する。下部内側表面部分は、好適には、実質的に一定の傾斜角度（φ）で、前部セクションの長手軸に対して下方向に傾斜する。使用姿勢において、下部内側表面部分は、前部セクションの長手軸に対して、好適には、１０〜４５度の範囲内の平均下方向傾斜角度を有する。
【００１２】
本開示の第２の態様は、乳房インターフェースに関する。当該乳房インターフェースは、ライナーの少なくとも一部も受容するライナー支持フレーム内部空間を画成するライナー支持フレームを含む。ライナー支持フレームは、前部リングと、後部リングと、前部リング及び後部リングを、前部リング及び後部リングが軸方向において離間されているように、相互接続する少なくとも１つのアームとを含む。当該乳房インターフェースは更に、本開示の第１の態様によるライナーも含み、ライナーの前部セクションは、ライナー支持フレームの前部リングに係合する一方で、ライナーの後部セクションの管状壁部は、ライナー支持フレームの後部リングによって、嵌るように受容される。
【００１３】
特に好都合に組み立て可能な乳房インターフェースを詳細に説明すると、ライナーの後部セクションの管状壁部の後端には、ライナー支持フレームの後部リングの内径よりも大きい外径を有し、また、乳房インターフェースの組み立てられた状態では、端部において、後部リングに当接する第１の環状フランジが設けられる。また、後部リングは、ライナーのフランジが付いた後端の通過を容易とするように、互いに対して再配置可能である少なくとも２つの相補形の円周後部リング部分を含む分割後部リングである。
【００１４】
本開示の第３の態様は、本開示の第２の態様による乳房インターフェースを含む搾乳器に関する。
【００１５】
本発明のこれらの及び他の特徴及び利点は、本発明を例示するものであって限定することを意図していない添付図面と共に参照することによって、本発明の特定の実施形態の以下の詳細な説明からより深く理解できよう。
【図面の簡単な説明】
【００１６】
【図１Ａ】図１Ａは、女性の乳房に接触する乳房インターフェースの第１の例示的な実施形態を含む、本開示による搾乳器の一実施形態を概略的に示す斜視図である。
【図１Ｂ】図１Ｂは、女性の乳房に接触する乳房インターフェースの第１の例示的な実施形態を含む、本開示による搾乳器の一実施形態を概略的に示す部分的に分解された側断面図である。
【図２Ａ】図２Ａは、ライナーとライナー支持フレームとの両方を含む図１に示される搾乳器の乳房インターフェースの第１の例示的な実施形態を概略的に示す斜視図である。
【図２Ｂ】図２Ｂは、ライナーとライナー支持フレームとの両方を含む図１に示される搾乳器の乳房インターフェースの第１の例示的な実施形態を概略的に示す側面図である。
【図２Ｃ】図２Ｃは、ライナーとライナー支持フレームとの両方を含む図１に示される搾乳器の乳房インターフェースの第１の例示的な実施形態を概略的に示す、図２Ｄと相互に垂直な側断面図である。
【図２Ｄ】図２Ｄは、ライナーとライナー支持フレームとの両方を含む図１に示される搾乳器の乳房インターフェースの第１の例示的な実施形態を概略的に示す、図２Ｃと相互に垂直な側断面図である。
【図３Ａ】図３Ａは、図２に示される乳房インターフェースの第１の例示的な実施形態のライナーを切り離して概略的に示す斜視図である。
【図３Ｂ】図３Ｂは、図２に示される乳房インターフェースの第１の例示的な実施形態のライナーを切り離して概略的に示す側面図である。
【図３Ｃ】図３Ｃは、図２に示される乳房インターフェースの第１の例示的な実施形態のライナーを切り離して概略的に示す正面図である。
【図３Ｄ】図３Ｄは、図２に示される乳房インターフェースの第１の例示的な実施形態のライナーを切り離して概略的に示す背面図である。
【図４Ａ】図４Ａは、図２に示される乳房インターフェースの第１の例示的な実施形態のライナー支持フレームを概略的に示す斜視図である。
【図４Ｂ】図４Ｂは、図２に示される乳房インターフェースの第１の例示的な実施形態のライナー支持フレームを概略的に示す側面図である。
【図４Ｃ】図４Ｃは、図２に示される乳房インターフェースの第１の例示的な実施形態のライナー支持フレームを概略的に示す正面図である。
【図５Ａ】図５Ａは、ライナー支持フレームが２つの取り外し可能な相補形の半体を含む、本開示による乳房インターフェースの第２の例示的な実施形態を概略的に示す斜視図である。
【図５Ｂ】図５Ｂは、ライナー支持フレームが２つの取り外し可能な相補形の半体を含む、本開示による乳房インターフェースの第２の例示的な実施形態を概略的に示す斜視図である。
【図６Ａ】図６Ａは、ライナー支持フレームがヒンジを介して接続される２つの相補形の半体を含む、本開示による乳房インターフェースの第３の例示的な実施形態を概略的に示す斜視図である。
【図６Ｂ】図６Ｂは、ライナー支持フレームがヒンジを介して接続される２つの相補形の半体を含む、本開示による乳房インターフェースの第３の例示的な実施形態を概略的に示す斜視図である。
【図７Ａ】図７Ａは、ライナーがティアドロップ形の内側断面形状を有する管状後部セクションを含む、本開示による乳房インターフェースの第４の例示的な実施形態を概略的に示す側断面図である。
【図７Ｂ】図７Ｂは、ライナーがティアドロップ形の内側断面形状を有する管状後部セクションを含む、本開示による乳房インターフェースの第４の例示的な実施形態を概略的に示す背面図である。
【発明を実施するための形態】
【００１７】
図１は、本開示による例示的な搾乳器１を、斜視図で概略的に示す。搾乳器１は、真空ポンプ１０と、連結器３０と、例えば哺乳瓶である集乳器５０と、第１の例示的な実施形態の乳房インターフェース７０とを含む。
【００１８】
連結器３０は、第１のチャネル３４を画成する第１の略垂直に延在する管状セグメント３２と、第１の管状セグメント３２から斜めに及び／又は外側に延在し、第１のチャネル３４と流体連通する第２のチャネル３８を画成する第２の管状セグメント３６とを含む。第１の管状セグメント３２の下端において、連結器３０は、集乳器５０とのねじ込み接続のための内側ねじ山を有するねじ込みソケット４０を含み、集乳器５０の上端には、相補形の外側ねじ山が設けられている。第１の管状セグメント３２の反対側の上端は、第１のチャネル３４及び第２のチャネル３８に真空を与える真空ポンプ１０に接続される。真空ポンプ１０は、図示される実施形態にあるように、手動の真空ポンプであっても、電気的真空ポンプであってもよく、真空ポンプ自体は、従来のデザインであり、本明細書では説明されない。第２の管状セグメント３６の外側端は更に、真空ポンプ１０と、集乳器５０と、乳房インターフェース７０とが連結器３０を介して空気圧連結する一方で、集乳器５０と乳房インターフェース７０との間で流体連通が可能であるように、乳房インターフェース７０の後端を、圧入式に受容する受容路４２を画成する。当然ながら、搾乳器１の様々な実施形態は、上記され、図示されたものとは異なる形状及び構造を有する連結器３０を含んでもよく、また、特に真空ポンプ１０及び集乳器５０を連結器３０に接続するために使用される接続の種類は、例えばねじ山、スナップ式等の任意の適切なタイプであってよい。
【００１９】
概念的に、乳房インターフェース７０は、２つのコンポーネント、即ち、フレキシブルライナー１００と、頑丈で比較的硬く、即ち、剛性のライナー支持フレーム２００とを含む。ライナー１００及びライナー支持フレーム２００は、通常は、２つの別個の構造コンポーネントとして形成され、これらは、使用時には、乳房インターフェース７０を形成するように合せて組み立てられる必要があり、また、コンポーネントのうちの片方を洗浄及び交換し易くするために、後に、分解されてもよい。しかし、ライナー１００及びライナー支持フレーム２００は、乳房インターフェース７０の構造部品の数を少なくするように、或いは、単一の構造コンポーネントとして一体に形成される（例えばコモールドされる）ことも考えられる。
【００２０】
以下、本開示による乳房インターフェース７０のライナー１００及びライナー支持フレーム２００の構造について説明される。まず、図１乃至図４に示される乳房インターフェース７０の第１の例示的な実施形態のライナー１００及びライナー支持フレーム２００について、幾つかの考えられる変形態様も考慮しながら、説明される。続いて、図５、図６及び図７をそれぞれ参照して、乳房インターフェース７０の特に有利な第２の、第３の及び第４の例示的な実施形態について説明される。
【００２１】
ここでは、特に図２及び図３を参照する。ライナー１００は、３つの、通常は、一体に形成されるセクション、即ち、前部セクション１１０、中間セクション１４０、及び、後部セクション１７０を含む。各セクションは、各セクションを画成する少なくとも１つの壁部を含む。
【００２２】
ライナー１００の前部セクション１１０は、後方向にテーパする略円錐又はカップ状の前壁部１１２を含み、当該前壁部１１２は、前部開口１１６ａを境界付ける前部の径方向外側の円周エッジ１１４ａと、中央後部開口１１６ｂを境界付ける後部の径方向内側の円周エッジ１１４ｂとの間で延在する。円周エッジ１１４ａ、１１４ｂの間で軸方向に、前壁部１１２の前面１１２ａは、略円錐状の乳房接触面１１８を画成する。
【００２３】
ライナー１００の前部セクション１１０は更に、環状基部壁部１２２を含む。環状基部壁部１２２は、前壁部１１２の背面１１２ｂに、前部円周エッジ１１４ａと後部円周エッジ１１４ｂの径方向位置間の径方向位置において、接続し、前壁部１１２の背面１１２ｂから、後方方向に延在する。したがって、これらの環状接合部に沿って、前壁部１１２は、環状（乳）逆流バリア１２０が形成されるように、基部壁部１２２を越えて径方向内側に延在すると見なされる。
【００２４】
前部セクション１１０は、環状リップ壁部１２４も含む。環状基部壁部１２２と同様に、環状リップ壁部１２４は、前壁部１１２の背面１１２ｂに、前部円周エッジ１１４ａと後部円周エッジ１１４ｂの径方向位置間の径方向位置において、接続し、前壁部１１２の背面１１２ｂから、後方方向に延在する。環状リップ壁部１２４及び環状基部壁部１２２は、互いに円周方向において平行に延在する。環状リップ壁部１２４は、径方向外側のリップ壁部１２４と径方向内側の基部壁部１２２との間に、環状溝１２６が画成されるように、より大きい動径座標において延在する。環状溝１２６は、ライナー支持フレーム２００の前部リング２０４（図２Ｃ及び図２Ｄを参照）を受容係合し、したがって、前部リング２０４の（略径方向の）幅に等しい又は当該幅よりも僅かに小さい（略径方向の）幅を有する。
【００２５】
使用中、ライナー１００の前部セクション１１０は、円錐状の前壁部１１２によって境界付けられる内部空間が乳房の容器として機能を果たすように、女性の乳房に置かれ、乳房は、この内部空間内に少なくとも部分的に受容される。乳房の乳輪及び乳首、又は、少なくとも乳首は、前壁部１１２にある中央後部開口１１６ｂを通り突出する一方で、乳房接触面１１８は、乳房がライナー１００のより奥に挿入又は吸い込まれないように、乳房の乳輪の周囲部分に当接する止め具として機能する。
【００２６】
ライナー１００の前部セクション１１０は、使用中にその形状を実質的に維持するように構成される。即ち、前部セクション１１０は、著しく変形することを意図していない。しかし、ライナー１００の上記された中間セクション１４０は、動作中に乳房の乳首上に左右対称に凹むように構成される。中間セクション１４０は、前部セクション１１０（の基部壁部１２２）の後端に接続される。ライナー１００の中間セクション１４０が、制御されたやり方で、確実に左右対称に凹むのを促進するように、ライナー１００の前部セクション１１０の環状溝１２６と、その中に受容されるライナー支持フレーム２００の前部リング２０４とは、異なる円周形状を有する。形状の違いは、乳房インターフェース７０の組立ての際に、前部リング２０４は環状溝１２６に挿入され、前部セクション１１０（したがって、そこに接続されている中間セクション１４０）は、第１の径方向に沿って伸張され／広げられ、第１の径方向に実質的に垂直な第２の径方向に沿って圧縮される／狭くされるような違いであることが好適である。
【００２７】
一実施形態では、例えば環状溝１２６は、円形の円周形状を有する一方で、ライナー支持フレーム２００の前部リング２０４は、楕円形状を有する。前部リング２０４の楕円形状は、長軸及び短軸の観点から説明される。これらの軸は共に、乳房インターフェース７０のコンテキストでは、径方向に延在する軸である。これは、乳房インターフェース７０の長手軸Ｌに垂直に延在するからである。長軸は、円形溝の直径よりも僅かに大きい長さを有する一方で、短軸は、円形溝の直径よりも僅かに小さい長さを有する。したがって、ライナー１００の前部セクション１１０は、環状溝１２６内に前部リング２０４が挿入されると、圧縮応力が掛けられる。つまり、前部セクション１１０は、楕円形の前部リング２０４の長軸に沿って伸張され、前部リング２０４の短軸に沿って圧縮される。前部セクション１１０、したがって、そこに接続される中間セクション１４０のこの圧縮応力は、短軸に沿った中間セクションの左右対称の圧潰を促進する。
【００２８】
環状溝１２６と楕円形前部リング２０４とを含む乳房インターフェース７０の上記実施形態の欠点は、ライナー１００の中間セクション１４０の特定の壁剛性分布との前部リング２０４の短軸及び／又は長軸の回転位置ずれの影響を受けやすい点である。以下において明確にされるように、ライナー１００の中間セクション１４０は、その壁部に、細長い、比較的剛性の部分１４６（例えばリブ）を含む。リブ１４６は、中間セクション１４０の両側の壁部１４２、１４４上に延在し、ライナーの内部１８０が排気された時に、ライナー１００の制御された左右対称の圧潰を促進する。このようなリブ１４６を含む一実施形態では、中間セクション１４０のリブは、２つの特徴、即ち、壁剛性分布と、円形の環状溝１２６と楕円形の前部リング２０４との形状差異とである２つの特徴が、左右両側の圧潰をもたらす際に、互いに協働し、強化するように、前部リング２０４の長軸と回転位置合わせされることが好適である。しかし、乳房インターフェース７０の組立ての際、ライナー支持フレーム２００の前部リング２０４の主軸及び短軸は、例えば前部リングの短軸がリブと回転位置合わせされるように、ライナー１００の中間セクション１４０の壁剛性分布と容易に位置ずれし、これは、２つの特徴が、互いの意図された効果を妨害してしまう。
【００２９】
可能な位置ずれの問題を防止するために、乳房インターフェース７０の好適な実施形態は、その前部セクション１１０がｘ個の対称軸（を有する円周形状）を有する環状溝１２６を含むライナー１００と、ｙ個の対称軸（を有する円周形状）を有する環状前部リング２０４を含むライナー支持フレーム２００とを特徴とする。このとき、ｘ＜ｙである。このような好適な実施形態では、壁剛性分布に関連する非対称性と、ライナーの制御された左右両側の圧潰を促進する環状溝１２６と前部リング２０４との形状差異とは共に、製造時にライナー１００に組み込まれ、これは、組立て時におけるユーザによるライナー１００とライナー支持フレーム２００との可能な回転位置ずれの問題を未然に防ぐ。１つの好適な実施形態では、例えばライナー１００は、例えば楕円形（２つの対称軸）又は長円形（１つの対称軸）である非円形の環状溝１２６を含む前部セクションを有し、ライナー支持フレーム２００は、当該溝に挿入するための円形の前部リング２０４（無限の対称軸）を有する。図３に、このようなライナー実施形態１００が示される。図３Ｄの背面図には、楕円形の環状溝１２６の長軸Ａｍａｊ及び短軸Ａｍｉｎと、中間セクション１４０の壁部１４２、１４４に延在する２つの向かい合うリブ１４６とが特定されている。図面から分かるように、楕円形の環状溝１２６の短軸Ａｍｉｎは、リブ１４６が離間されている方向と回転位置合わせされ、これにより、ライナー支持フレーム２００の前部リング２０４のライナー１００の前部セクション１１０の環状溝１２６内への挿入が、ライナーに短軸Ａｍｉｎに沿って圧縮応力を掛け、長軸Ａｍａｊに沿ったライナーの圧潰を促進する。別の実施形態では、ライナーは、長方形で、非正方形の溝（２つの対称軸）を含む前部セクションを有し、ライナー支持フレームは、正方形の前部リング（４つの対称軸）を有してもよい。
【００３０】
一般に、ユーザが、操作時に、乳房、具体的には、乳首を観察できることが望ましい。このために、ライナー１００は、透明である一方で、ライナー支持フレーム２００は、以下により詳細に説明されるように、ライナー支持フレーム内部空間２０２の視覚検査を可能とするようにアクセス窓２１２を画成するアーム２１０ａ、２１０ｂを有する開放フレーム構造体を含んでもよい。しかし、ライナー支持フレーム２００のアーム２１０ａ、２１０ｂが、偶然に、ライナー１００の中間セクション１４０の壁部の圧潰しない部分に、回転位置合わせされた場合、アーム２１０ａ、２１０ｂは、壁部のこれらの圧潰しない部分を介した乳房の良好な視界を妨げる。圧潰しない壁部分が、アクセス窓２１２の前に、明白に位置決めされるように、ユーザが乳房インターフェース７０を組み立てるのに役立つように、ライナー１００、特にその前部セクション１１０には、少なくとも１つのマーク１２８が設けられていてもよい。マーク１２８は、組立ての際に、ライナー支持フレーム２００のアーム２１０ａ、２１０ｂと回転位置合わせされる。当然ながら、マーク１２８は、マーク１２８のアーム２１０ａ、２１０ｂとの回転位置合わせが、アクセス窓２１２を介する壁部の圧潰しない部分の望ましい視認性がもたらされるように位置付けられるべきである。一実施形態では、ライナー１００上のマーク１２８の数は、ライナー支持フレーム２００のアーム２１０ａ、２１０ｂの数と一致してもよく、これにより、各マーク１２８は、対応するアーム２１０ａ、２１０ｂと位置合わせされる。マーク１２８は、ライナー１００の外側にエンボス加工された矢じり、又は、マークが位置合わせされる必要のあるアーム２１０ａ、２１０ｂの（接線方向）幅と略等しい（接線方向）幅を有する隆起された表面部分といった様々な形態であってよい。
【００３１】
原則的に、前壁部１１２によって画成される中央後部開口１１６ｂは、任意の適切な円周形状を有してよい。一実施形態では、例えば中央後部開口１１６ｂは円形である。しかし、円形の中央後部開口は、幾つかの欠点を有する。１つのそのような欠点は、操作中、搾乳器１は、女性の乳房に真空を印加することがあるという事実に関連する。この真空は、乳房の皮膚、特に、皮膚が中央後部開口１１６ｂの円形の円周エッジ１１４ｂに接触する場所の発赤を引き起こす。乳房に付いた円周エッジ１１４ｂの赤みを帯びた跡は、白癬といった真菌感染症の兆候として誤って受け取られてしまうことがある。円形の中央後部開口のもう１つの欠点は、逆流バリア１２０及び基部壁部１２２によって画成されるアンダーカットが著しい場合がある点である。これは、製造時のモールドからのライナー１００の取り外しと、使用後のライナーの適切な洗浄との両方を妨げる。
【００３２】
これらの欠点を解決する又は少なくとも軽減するために、ライナー１００の好適な実施形態は、非円形の形状を有する中央後部開口１１６ｂを画成する前壁部１１２を含む。中央後部開口部１１６ｂは、例えば図３Ｃに明らかに示されるように、５枚の花びらを有する花といった花の形状を有する。例えば図３Ｃに示されるものとは花びらの数が異なる及び／又は花びらの形状が異なる様々な花の形状、又は、星形といった全く異なる形状が使用されてもよい。中央後部開口１１６ｂの円周エッジ１１４ｂの形状の径方向における変動によって、非円形の開口は、概して、乳房に赤みを帯びた円形の跡が付くことを阻止し、アンダーカットをよりアクセスし易くすることによって、アンダーカットを洗浄し易くする。中央後部開口１１６ｂの非円形の形状は、外観があまり機械的でなく、搾乳器１を使用する女性に装飾的及び魅力的に見えるという追加のメリットを提供する。
【００３３】
ライナー１００の中間セクション１４０は、２つの壁部、即ち、（ｉ）Ｓ字形曲線を有する接続壁部１４２と、（ｉｉ）後部のテーパする漏斗状壁部１４４とを含む。Ｓ字形曲線を有する接続壁部は、前部セクション１１０の基部壁部１２２（の後端）を、中間セクション１４０の漏斗状壁部１４４の広い前端に接続する。
【００３４】
中間セクション１４０によって境界付けられる内部空間１８０は、圧力チャンバを画成する。使用時、搾乳器１の真空ポンプ１０は、圧力チャンバ１８０に真空を印加し、これにより、ライナー１００の中間セクション１４０が、交互に、（ｉ）乳房の乳首上に圧潰し、（ｉｉ）その弛緩形状を再確立する又はその弛緩形状に戻るように広がる。
【００３５】
Ｓ字形曲線を有する接続壁部１４２は、圧力チャンバ１８０が真空の影響を受ける時の中間セクション１４０の圧潰と、真空が除去された場合のその弛緩形状の再確立との両方を容易にする働きをする。Ｓ字形曲線を有する接続壁部は、その名称の由来が、その長手方向の断面形状（弛緩状態における）にある。当該長手方向の断面形状は、図２Ｃにおいて最もよく見えるように、Ｓ字形曲線、即ち、二重曲げ又は二重ひだを規定する。Ｓ字形曲線は、ライナー１００の前部セクション１１０の基部壁部１２２（の後端）にすぐ隣に配置され、ライナー１００の長手軸Ｌの周りに回転対称である。Ｓ字形曲線を有する接続壁部１４２は、事実上、圧力チャンバ１８０が真空の影響を受ける時に、ライナー１００の中間セクション１４０が容易に変形し、したがって、内側に圧潰することを可能とする余分の壁部材料を提供する。更に、Ｓ字形曲線を有する接続壁部１４２は、圧力チャンバ１８０内の真空が取り消されると、その弛緩形状に戻るように変形するように構成される。
【００３６】
ライナー１００の中間セクション１４０は、後部から前部にかけて生じる、乳首へのその安全で、繰り返し可能で、左右両側での蠕動性の圧潰を確実とするように構成されることが好適である。このような圧潰を確実とすることに役立つように、中間セクション１４０の一方又は両方の壁部１４２、１４４は、長手軸Ｌの周りに２回転対称を有する剛性分布を有する。このために、壁部１４２、１４４は、例えば、対応する壁部１４２、１４４に沿って又は対応する壁部１４２、１４４内で、略径方向／長手方向に延在する例えば壁部の比較的剛性部分である細長いリブ１４６を含む。一実施形態では、このようなリブ１４６は、壁部の比較的厚い部分によって形成され、これは、ライナー１００が、単一の均質材料、又は、少なくとも、ライナー１００の壁部全体に亘って一様である弾性係数を有する材料から製造できるという利点を提供する。別の実施形態では、リブ１４６は、相互に異なる弾性係数を有する少なくとも２つの構成材料を使用して実現されてもよい。このような実施形態では、リブ１４６は、第１の構成材料で作られる一方で、Ｓ字形曲線を有する壁部１４２及び／又は漏斗状壁部１４４の隣接する又は周囲の部分は、第１の構成材料の弾性係数よりも小さい弾性係数を有する第２の構成材料で作られる。
【００３７】
図３に示されるライナー１００の実施形態では、ライナーの中間セクション１４０は、Ｓ字形曲線を有する接続壁部１４２と漏斗状壁部１４４との両方の壁部の比較的厚い部分によって画成される２つの（接線方向に）広く、（長手方向に）細長いリブ１４６を含む。リブ１４６は、中間セクション１４０の直径方向において両側に位置付けられる。使用時、真空が圧力チャンバ１８０に印加されると、壁部１４２、１４４のリブ付き部分は、その直径方向において両側にあるリブなし部分よりも多くの圧潰に対する抵抗を提供し、これにより、リブなし部分の互いに向かう左右両側の圧潰の方が好まれる。
【００３８】
ライナー１００の後部セクション１７０は、略軸方向に延在する管状又はパイプ状壁部を含み、ライナーの中間セクション１４０の漏斗状壁部１４４によって画成される漏斗の延長部を形成すると見なされる。したがって、中間セクション１４０の漏斗状壁部１４４の後端は、後部セクション１７０の管状壁部の前端に接続される。
【００３９】
ライナー１００の後部セクション１７０の管状壁部は、原則的に、任意の内側及び／又は外側横断面を有する。例えば図２乃至図４に示されるライナー１００の第１の例示的な実施形態は、略円形の内側及び／又は外側横断面を有する後部セクション１７０を有する。或いは、後部セクション１７０の管状壁部は、図７に示される第４の例示的な実施形態にあるように、例えば略ティアドロップ形の内側及び／又は外側横断面を有してもよい。１つの対称軸を有し、（長円形とは異なり）曲線の広い部分がその狭い部分に合流するところで排他的に凸状ではない滑らかな平面閉曲線によって画成されるティアドロップ形状は、操作時のライナー１００の上記の左右両側の圧潰を支援する。ティアドロップ形状の内側断面を含む管状後部セクション１７０を有するライナー１００の一実施形態では、ティアドロップ形状の細い部分が、乳房から搾り出された乳を集乳器５０へ導く乳用の溝の機能を果たす。このような実施形態では、ティアドロップ形状の横断面の細い部分の（ティアドロップの対称軸に沿って測定される）長さは、ティアドロップ形状の横断面の細い部分によって画成される乳用の溝が、後方への軸方向において深くなる、即ち、下方向に傾斜するように、後部セクション１７０の後方への軸方向において増加する。
【００４０】
後部セクション１７０は更に、１つ以上の外部の、概して環状のフランジを含む。フランジは、管状壁部と一体に形成され、そこから径方向外側に延在する。第１のフランジ１７２は、管状壁部の後端に設けられる。第２のフランジ１７４は、第１のフランジ１７２の前に設けられ、第１のフランジ１７２から、又は、少なくとも管状壁部の後端から、軸方向に離間される。両フランジ１７２、１７４は、以下に説明されるライナー支持フレーム２００の後部リング２０６の内径よりも大きい外径を有する。第１のフランジ１７２及び第２のフランジ１７４の両方を含む実施形態において、それらの間の軸方向の間隔は、通常、ライナー支持フレーム２００の後部リング２０６の軸方向の長さと一致する。第２のフランジ１７４は、通常、第１のフランジ１７２よりも幾分（軸方向において）広く、及び／又は、（径方向において）高い。以下、「シーリングリップ」及び「フィンガグリップリング」とそれぞれ呼ばれる第１のフランジ１７２及び第２のフランジ１７４の機能は、乳房インターフェース７０の組立てについて説明される以下において明らかにされる。
【００４１】
ライナー１００は、例えば熱可塑性エラストマー、ゴム、ラテックス又は液状シリコーンゴム（ＬＳＲ）といったフレキシブルで、好適には弾性を有する材料から一体部品として製造される。一実施形態では、ライナー１００は、射出成形を介して製造される。この処理では、ライナーは、その弛緩状態で固定又は硬化される。ライナー材料は透明であってよく、これにより、女性が、使用時に、ライナー１００の中で何が起きているのかを視覚的に観察することができる。
【００４２】
次に、ライナー支持フレーム２００の構造の説明に移る。図４Ａ乃至図４Ｃは、それぞれ、図２Ａ乃至図２Ｄに示される乳房インターフェース７０の第１の例示的な実施形態のライナー支持フレーム２００を、斜視図（図４Ａ）、側面図（図４Ｂ）及び正面図（図４Ｃ）で概略的に示す。
【００４３】
その名称が示すように、ライナー支持フレーム２００は、ライナー１００に機械的な支持を提供する働きをする。このために、ライナー支持フレーム２００は、ライナー支持フレーム内部空間２０２を画成し、その中に、乳房インターフェース７０の組み立てられた状態において、ライナー１００が（外部から）ライナー支持フレーム２００によって係合され、嵌めこまれるように、ライナー１００の少なくとも一部を受容することができる。図２Ａ乃至図２Ｄを参照されたい。その支持機能を果たすために、ライナー支持フレーム２００は、その構造が実質的に剛性であり、操作時に、大きく変形することなく、ライナー１００によってそこにかかる任意の力に耐えることができるように（ライナー１００に比べて）比較的硬い材料から作られる。ライナー支持フレーム２００は、例えば射出成形されたプラスチックといった任意の適切な材料から製造されてもよい。
【００４４】
ライナー支持フレーム２００は、透明であってもよいし、透明又は非透明のライナー１００と組み合わせて使用されてもよいが、透明なライナー１００と不透明なライナー支持フレーム２００との組み合わせが、ユーザ機能性を最大にし、２つの部品間のコントラストを最適にする。このコントラストによって、ユーザが乳房インターフェース７０を組立て、組立ての正確さを確認する能力を高める。
【００４５】
ライナー支持フレーム２００は、２つの軸方向に離間されたリング、即ち、前部リング２０４と後部リング２０６とを含む。なお、明確にするために、本テキストにおいて使用される「リング」との用語は、広く解釈されるべきである。当該用語は、典型的には円形であるが、非円形（例えば多角形）であってもよいその円周形状に関係なく、任意の連続的又は不連続的／分割された環状要素を包含することを意図している。２つのリング２０４、２０６は、少なくとも１つの比較的硬く、略軸方向に延在するアーム又はストラットによって相互に接続される。図４Ａ乃至図４Ｃの第１の例示的な実施形態では、ライナー支持フレーム２００は、２つの硬いが、弾力のあるアーム２１０ａ、２１０ｂを含む。これらのアームは、構造上同一である。前部リング２０４は、通常、後部リング２０６よりも大きい内径及び外径を有する。したがって、複数のアーム２１０ａ、２１０ｂを有する実施形態では、２つのリング２０４、２０６を相互接続するアーム２１０ａ、２１０ｂは、前部リング２０４から、後方方向において、後部リング２０６に合流すると見なされる。後部リング２０６の内径は、ライナー１００の管状後部セクション１７０の外径に合せられる。即ち、当該外径に略等しい。後部リング２０６は、連結器３０との真空気密接続を可能とするように、管状後部セクション１７０を嵌めるように受容する（図２Ａ乃至図２Ｄを参照）。
【００４６】
図４Ａ乃至図４Ｃの第１の例示的な実施形態において見られるように、ライナー１００の前部セクション１１０における環状溝１２６に受容されるように構成される前部リング２０４は、単一の部品で、連続的又は閉リングである（前部リングが分割されている図５及び図６の第２及び第３の例示的な実施形態と比較されたい）。前部リング２０４の略軸方向の長さは、乳房インターフェース７０の組み立てられた状態において、前部リング２０４の後端（アーム２１０ａ、２１０ｂとの接合部は無視する）が、壁部１２２、１２４のうちの少なくとも一方、即ち、リップ壁部１２４の後端及び基部壁部１２２の後端のうちの少なくとも一方と実質的に同一平面にあるように、環状溝１２６を画成する壁部１２２、１２４の少なくとも一方の略軸方向の長さに一致することが好適である。図示される実施形態では、図２Ｄの側断面図において最もよく見えるように、前部リング２０４の後端は、基部壁部１２２の後端と同一平面に位置する。組立ての際、これらの後端の面一性は、前部リング２０４の環状溝１２６への挿入が完了したことを知らせる合図をユーザに提供する。
【００４７】
ライナー１００の管状後部セクション１７０に嵌るように、また、場合により、締め付けるように構成される後部リング２０６は、後部リング２０６自体が後部セクションの２つのフランジ１７２、１７４の間で軸方向にぴったりと受容可能であるように（図２Ａ乃至図２Ｄを参照）、分割された又は二重不連続リングであることが好適である。つまり、後部リング２０６は、後部リングを少なくとも２つの実質的に剛性の相補形の円周部分に分割する少なくとも２つの円周不連続部を含む。相補形の円周部分は、後部リング２０６の断面開口／通路領域が、一時的に拡大されるように、移動可能であり、したがって、互いに対し再配置可能であり、任意選択的に、互いから取り外すことも可能である。図４Ａ乃至図４Ｃの第１の例示的な実施形態では、例えば後部リング２０６は、当該リングを２つの別個の相補形の半体２０６ａ、２０６ｂに分割する実際の割れ目又はスリットの形態の２つの円周不連続部を有する。図５及び図６の第２及び第３の実施形態を参照するに、これらの実施形態は共に、分割された後部リング２０６を同様に含む。図６の実施形態を考慮すると、相補形の後部リング部分を接続する、図６におけるフォイルヒンジ２０１といったヒンジが、概して円周不連続部を形成すると見なされる。これは、ヒンジは、後部リング２０６の円周形状の画成に貢献する場合であっても、その（内）周に沿って、後部リングの実質的な剛性の不連続部を表すからである。即ち、ヒンジは、２つの実質的に剛性の相補形の円周後部リング部分を、それらの空間的再配置を可能とするために、意図的に接続するに過ぎないからである。
【００４８】
図４Ａ乃至図４Ｃの第１の例示的な実施形態において見られるように、各相補形の後部リング部分２０６ａ、２０６ｂは、様々なアーム２１０ａ、２１０ｂを介して、前部リング２０４に接続される。ライナー支持フレーム２００は、比較的硬いが、この分割後部リング構造は、後部リングの相補形の円周部分２０６ａ、２０６ｂが（各アーム２１０ａ、２１０ｂによって加えられる適度な径方向内側へのバネ作用に逆らって）径方向／接線方向に離れることを可能とすること（これにより、各アーム２１０ａ、２１０ｂは、径方向外側に動く）によって、乳房インターフェース７０の組立てを容易にし、これにより、ライナー１００の管状後部セクション１７０を、円周部分の間で、軸方向に通す作業を簡単にする。これは、特に、ライナー１００の管状後部セクション１７０の後部端にフランジ又はシーリングリップ１７２を含む実施形態において、言えることである。
【００４９】
分割後部リング２０６における上記された少なくとも２つの円周不連続部は、当該リングを２つの相補形の部分２０６ａ、２０６ｂに分ける対応する割れ目２０８によって形成される。割れ目２０８は、図示される実施形態において見られるように、同一の形状を有してよいが、これは必須ではない。２つの相補形の円周後部リング部分２０６ａ、２０６ｂ間の割れ目２０８の形状は、基本的には任意の形状を有してもよい。一実施形態では、割れ目の形状は、真っ直ぐ又は線形である。しかし、真っ直ぐな割れ目形状は、後部リング２０６の相補形の円周部分２０６ａ、２０６ｂ間の相対的な軸方向の移動を容易にしてしまうという欠点があり、これは、ライナー支持フレーム２００における望ましくない機械的応力につながる。このような比較的軸方向の移動は、特に、乳房インターフェース７０の搾乳器１への接続の際に生じる。即ち、乳房インターフェース７０の後端が、連結器３０の受容路４２内に押し込まれる時に生じる。真っ直ぐな割れ目形状のもう１つの欠点は、後部リング２０６が、偶然に壊れたかのように見える点である。これらの欠点を解決するために、割れ目の形状は、図示される実施形態に示されるように、略Ｃ字形である。滑らかなＣ字形の割れ目形状は、相補形の後部リング部分２０６ａ、２０６ｂの正しい相対的な軸方向の位置合わせを維持するのに役立ち、後部リング２０６が誤って壊れていると見られないように、意図する通りに見える。
【００５０】
後部リング２０６の（径方向）内面は滑らかである。しかし、滑らかな内面は、例えばシリコーン製のライナー１００の後部セクション１７０と後部リング２０６との間の摩擦を促進することが分かっており、これは、乳房インターフェース７０の組立てを複雑にする可能性がある。ライナー１００の後部セクション１７０と後部リング２０６の内面との間の摩擦を減少させるために、内面には、例えばマット仕上げを有するように表面テクスチャが施される。表面テクスチャは、スパーク（sparked）仕上げであってもよい。
【００５１】
合わせて、ライナー支持フレーム２００のアーム２１０ａ、２１０ｂも、ライナー支持フレーム２００のライナー支持フレーム内部空間２０２を完全に接線方向又は円周方向において包囲しないことが好適である。ライナー支持フレーム内部空間２０２を共に完全に包囲するアーム２１０ａ、２１０ｂは、乳房インターフェース７０の組立て及び組立て分解を妨げる場合があり、また、使用中におけるユーザのライナー１００の視野を遮る可能性がある。当該視野は、特にライナーの圧潰の過程に関する情報、また、透明のライナーを使用する実施形態では、乳首の配置及び乳の流れに関する情報を提供する。したがって、ライナー支持フレーム２００のアーム２１０ａ、２１０ｂのうちの少なくとも一方が、少なくとも１つのアクセス窓２１２を画成することが好適である。より具体的には、２つの接線方向の隣接するアーム２１０ａ、２１０ｂは共に、それらの間に（接線方向に）アクセス窓１２１を画成し、当該アクセス窓２１２は、ライナー支持フレーム内部空間２０２への手動及び視覚的アクセスを可能にする。図４Ａ乃至図４Ｃに示されるライナー支持フレーム２００の実施形態は、ライナー支持フレーム２００の両側に２つのこのようなアクセス窓を有する。組立ての際に、１つのアクセス窓２１２は、ライナー支持フレーム内部空間２０２の視覚的な観察のために使用され、もう１つのアクセス窓２１２は、そこへの手動アクセスのために使用される。
【００５２】
ライナー支持フレーム２００のロバスト性を高めるために、各アーム２１０ａ、２１０ｂと前部リング２０４との接合部又は接続部は、各アームと後部リング２０６との接合部よりも（接線方向に）広いことが好適である。したがって、アーム２１０ａ、２１０ｂの（接線方向の）幅は、後方方向にテーパする。これに加えて又は代えて、前部リング２０４における接合部は、例えば前部リング２０４の半径の少なくとも半分である曲率半径である比較的大きい曲率半径２１６を規定することが好適である。このような大きい半径は、アーム２１０ａ、２１０ｂの屈曲に対する剛性を増加させ、したがって、使用時に、乳房インターフェース７０が垂れた感じがあまりしない。
【００５３】
ライナー支持フレーム２００のアーム２１０ａ、２１０ｂが、その後部リング２０６に接合する場所において、段部２２０が画成されることが好適である。段部２２０は、角度の比較的急激な変化によって特徴付けられる。段部２２０は、乳房インターフェース７０の後部の搾乳器１の連結器３０内の受容路４２への挿入の際に、連結器の外面に対抗して付勢される止め部として働く。段部２２０があることによって、ユーザが、乳房インターフェースの後部を、連結器にある受容路４２内に、段部２２０が連結器に当接する点まで付勢することを促し、これにより、乳房インターフェース７０と連結器３０との間に適切な真空シールが実現され、また、乳房インターフェース７０の分割後部リング２０６が、定位置に固定され、ライナー支持フレーム２００にその剛性の一部が提供される。
【００５４】
ライナー支持フレーム２００のアーム２１０ａ、２１０ｂ各々には、ライナー１００の後部セクション１７０にある第２のフランジ１７４と協働するフランジ相互作用部材２２２が設けられている。フランジ相互作用部材２２２は、それが設けられているアーム２１０ａ、２１０ｂの内面から内側に突出する。長手方向の側断面図（図２Ｃを参照）において見られるように、フランジ相互作用部材２２２は、概して鋸歯状であり、後方方向において見た場合に、径方向内側に傾斜する傾斜面２２４と、実質的に径方向に延在する後部止め面２２６とを含む。止め面２２６は、当該止め面２２６と後部リング２０６の前端との間に軸方向の間隙２２８があるように、後部リング２０６の前端の隣にあるが、当該前端から軸方向に離間されて配置される。ライナー支持フレームのアーム２１０ａ、２１０ｂと後部リング２０６との間の接合部が、段部２２０を画成する実施形態では、フランジ相互作用部材２２２の止め面２２６は、段部２２０の内側に面する。
【００５５】
フランジ相互作用部材２２２は、乳房インターフェース７０の第１の例示的な実施形態の組立て処理の説明から明らかとなるように、幾つかの目的を果たす。
【００５６】
乳房インターフェース７０が、ライナー１００と、ライナー支持フレーム２００とを別個の構造コンポーネントとして含む場合、図２乃至図４の乳房インターフェースは、次の通りに組み立てられる。ユーザは、ライナー１００上に設けられるマーク１２８が、ライナー支持フレーム２００のアーム２１０ａ、２１０ｂと回転位置合わせされるように、ライナーの管状後部セクション１７０を、ライナー支持フレーム２００の前部リング２０４を通して軸方向に挿入する。ユーザは、ライナー支持フレーム２００に設けられたアクセス窓２１２のうちの１つ以上を介して指を入れ、ライナー１００の後部セクション１７０に設けられた第２のフランジ又はフィンガグリップリング１７４を掴む。第２のフランジ１７４を掴みつつ、ユーザは、ライナー１００を後方に押す又は引っ張る。その際に、第２のフランジ１７４は、アーム２１０ａ、２１０ｂの内面に設けられたフランジ相互作用部材２２２に接触する。その結果、ライナー支持フレーム２００のアーム２１０ａ、２１０ｂは、ライナー１００が更に後方に動かされるのにつれて、径方向に離れるように徐々に広がるようにされる。アーム２１０ａ、２１０ｂの広がりは、ライナー支持フレーム２００の分割後部リング２０６の相補形の円周部分２０６ａ、２０６ｂの広がりを引き起こし、これは、相補形の円周部分間で、第１のフランジ１７２を通過し易くする。第２のフランジ１７４が、フランジ相互作用部材２２２の止め面２２６の軸方向の位置に到達すると、第２のフランジは、止め面２２６と後部リング２０６の前端との間の軸方向の間隙２２８内に嵌り込む。同時に、２つのアーム２１０ａ、２１０ｂは、相補形の円周後部リング部分２０６ａ、２０６ｂが、第１のフランジ１７２と第２のフランジ１７４との間に延在するライナー１００の管状後部セクション１７０の一部分に嵌合係合するように、再び弛緩し、互いに向かって動く。これは、少なくとも後端において、ライナー１００のライナー支持フレーム２００への挿入が完了したという視覚的確認をユーザに提供するだけでなく、シーリングリップ１７２及びフィンガグリップリング１７４、従って、ライナー１００も、更なる軸方向の移動に対して係止する。組立てを完了するために、ユーザは、ライナー支持フレーム２００の前部リング２０４が、ライナー１００の前部セクション１１０における環状溝１２６にきっちりと受容されたことを確認し、また、必要に応じて、好適には、前部リング２０４が、環状溝１２６を画成する壁部１２２、１２４の少なくとも一方の後端と同一平面であるように、前部リング２０４の環状溝１２６への適切な配置を確実にしてもよい。
【００５７】
乳房インターフェース７０自体が組み立てられると、その後部、具体的には、ライナー１００の管状後部セクション１７０とライナー支持フレーム２００の後部リング２０６とは、搾乳器１の連結器３０によって提供される受容路４２内に挿入される。受容路４２は、適切な真空シーリングが実現されるように、乳房インターフェース７０の後部が圧入受容されるような寸法にされることが好適である。
【００５８】
乳房インターフェース７０と連結器３０との間の第１の真空シールが、シーリングリップ１７２と、受容路４２の内面との間に形成される。このために、シーリングリップ１７２の外径は、受容路４２の内径よりも僅かに大きいことが好適である。ライナー材料の柔軟性によって、シーリングリップ１７２は、乳房インターフェース７０の後部の受容路４２への挿入時に変形する。これにより、シーリングリップ１７２の外周と、受容路４２の内周との間の形状における差異が調整され、効果的な真空シールが生成される。第２の真空シールが、分割後部リング２０６の外面と、受容路４２の内面との間に形成される。この第２の真空シールを実現するために、２つの、通常、剛性であるコンポーネント４２、２０６の表面は、実質的に形状が同一である必要があり、例えば同じ直径、テーパ等を有さなければならない。シーリングリップ１７２及びフィンガグリップリング１７４が、それらの間で軸方向において後部リング２０６に係合するにつれて、第３の真空シールが、フィンガグリップリング１７４との協働によってシーリングリップ１７２によって形成されてもよい。
【００５９】
図１乃至図４を参照して、乳房インターフェース７０の第１の例示的な実施形態について説明した。次に、幾つかの特定の及び有利な変形態様を示す幾つかの更なる例示的な実施形態に注目する。
【００６０】
なお、図１乃至図４の第１の例示的な実施形態のライナー支持フレーム２００は、単一部品コンポーネントであるが、代替実施形態のライナー支持フレーム２００は、複数の取り外し可能に接続可能な部品を含んでもよい。
【００６１】
一実施形態（図示せず）では、例えば前部リングと後部リングとを相互接続する少なくとも１つのアームは、実質的にアームの全軸方向長さに亘って、ライナー支持フレームの長手軸に対し１２０°〜１８０°の範囲の角度に対応する。このような広い、「ハーフパイプ」アームは、追加のアームを不必要にする十分な剛性を有するクレードル状のライナー容器を提供する。このような実施形態では、前部リング２０４及び／又は後部リング２０６は、２つの取り外し可能に接続可能な相補形の円周部分を含む。各リングについて、相補形の円周部分のうちの一方は、ハーフパイプアームと一体にされ、もう一方は、例えばクリップの形で、ハーフパイプアームに取り外し可能に接続可能である。後者のリング部分の分離された状態では、ライナー１００の前者のアームが取り付けられた部分への挿入が容易にされる一方で、両部分の閉じた状態では、ライナーは、両部分間の適切な位置にしっかりと保持される。
【００６２】
図５の第２の例示的な実施形態といった後者の実施形態を更に詳細に説明するために、ライナー支持フレーム２００全体が、２つの取り外し可能に接続可能な部分又は半体２００ａ、２００ｂに分割されてもよい。図示されるように、この実施形態では、前部リング２０４及び後部リング２０６が共に分割され、各リング２０４、２０６は、第１のアーム２１０ａに固定して接続される１つの部分２０４ａ、２０６ａと、第２のアーム２１０ｂに固定して接続されるもう１つの相補形の部分２０４ｂ、２０６ｂとを有する。乳房インターフェース７０の組立ての際に、２つのフレーム部分又は半体２００ａ、２００ｂは、具体的には、（ｉ）前部リング部分２０４ａ、２０６ｂを、ライナー１００の環状溝１２６内に位置付けることによって、また、（ｉｉ）その後部リング部分２０６ａ、２０６ｂの後端を、シーリングリップ１７２に接して、場合により、シーリングリップ１７２により画成される環状溝１７３（図６Ａ参照）内に位置付けることによって、順々に、ライナー１００と係合される。続いて、乳房インターフェース７０は、搾乳器１の連結器３０によって提供される受容路４２内に圧入される。
【００６３】
図５の２パートライナー支持フレーム２００は、乳房インターフェース７０の組立ての際に、シーリングリップ１７２を、後部リング２０６を通して挿入するためにユーザがかなりの力を加える必要をなくすが、ライナー支持フレーム２００のマルチパートデザインは、フレームの様々な部品が一緒に保持されず、気が付かないうちに紛失する可能性があるという欠点を有する。この問題を回避するために、ライナー支持フレームの２つの相補形の半体２００ａ、２００ｂは、取り外し可能に接続可能であるようには作られず、その代わりに、図６の第３の例示的な実施形態にあるように、例えばフォイルヒンジ２０１によって、ヒンジを介して接続されてもよい。
【００６４】
図７Ａ及び図７Ｂは、本開示による乳房インターフェース７０の第４の実施形態を、側断面図（図７Ａ）及び後面斜視図（図７Ｂ）で概略的に示す。
【００６５】
図１乃至図４の乳房インターフェース７０の第１の例示的な実施形態に関連付けられる問題は、それを使用する女性が、自身の乳房から搾り出された乳が確実に集乳器５０に向かい、その中へと流れるように、前傾になる必要がある点である。１回の搾乳セッションには時間がかかり、特には３０分以上にも及ぶため、前傾姿勢は不快となる。
【００６６】
不快感の問題を解決するために、乳房インターフェース７０、及び、具体的にはそのライナー１００は、上部側又は頂部側及び下部側又は底部側を有する使用姿勢（use orientation）と関連付けられる。更に、ライナー１００の前部セクション１１０は、乳房接触面１１８（図２Ｃも参照）における開口１１６ｂの平面に実質的に垂直に延在する、また、上記の使用姿勢において、実質的に水平に延在する長手軸Ｌｆｓに関連付けられる。即ち、使用時、前部セクション１１０の乳房接触面１１８が、女性の乳房に接触すると、前部セクション１１０の長手軸Ｌｆｓは、実質的に水平に延在する。ライナー１００の構造は更に、ライナー１００の中間セクション１４０の後方にテーパする漏斗状壁部１４４及び／又は後部セクション１７０の管状壁部１７１が、乳房接触面１１８における（乳首を受容する）開口１１６ｂから、管状壁部１７１の後端（乳放出）開口にまで延在し、また、上記の使用姿勢において、前部セクション１１０の長手軸Ｌｆｓに対して下方向に傾斜する細長い内側下部／底部表面部分１７１ａによって少なくとも部分的に境界付けられる乳用の導管１９０を画成するように、適応される。後部セクション１７０（の底部表面部分１７１ａ）の下方向への傾斜によって、乳房から搾り出された乳は、重力の作用によって、後部セクション１７０の管状壁部１７１を通り、その後端開口に向かって、自然に流れる。したがって、女性が、使用時に前傾する必要はない。
【００６７】
この解決策によれば、乳房インターフェース７０の長手軸Ｌは、乳房インターフェース７０の当該長手軸Ｌが２つの真っ直ぐで位置合わせされないセクションを含むように（下方向の）キンク又は屈曲を含むことが好適である（図７Ａを参照）。長手軸の第１のセクションＬｆｓは、ライナー１００の前部セクション１１０とライナー支持フレーム２００の前部リング２０４とに関連付けられ、長手軸の第２のセクションＬｒｓは、ライナー１００の後部セクション１７０と、ライナー支持フレーム２００の少なくとも１つのアーム２１０ａ、２１０ｂ及び後部リング２０６とに関連付けられる。乳房インターフェース７０の長手軸Ｌの２つのセクションＬｆｓ、Ｌｒｓは、約１０〜４５度の範囲内の角度φを含むことが好適である。後部セクション１７０の少なくとも管状壁部１７１の断面形状は、円形であるが、円形である必要はない。図示される実施形態では、例えば後部セクション１７０の管状壁部１７１は、上記され、かつ、図７Ｂに示されるように、（逆さまにされた）ティアドロップ形状の内側断面形状を有する。したがって、管状壁部１７１は、「下方向に傾斜する溝」を有する乳用の導管１９０である長手方向の部分を画成し、その底部は、細長い底部表面部分１７１ａによって形成される。
【００６８】
本明細書に開示される乳房インターフェースの例示的な実施形態が、部分的に添付図面を参照して、上で説明されたが、当然ながら、本開示は、これらの実施形態に限定されない。開示された実施形態の変形態様が、当業者によって、図面、開示及び添付の特許請求の範囲の検討から、乳房インターフェースを実施する際に、理解及び実現されてもよい。本明細書全体を通して「１つの実施形態」、「一実施形態」等との言及は、実施形態に関連して説明される特定の特徴、構造又は特性が、乳房インターフェースの少なくとも１つの実施形態に含まれてもよいことを意味する。したがって、本明細書全体に亘って様々な場所において出現する「１つの実施形態では」又は「一実施形態では」との表現は、必ずしもすべて同じ実施形態を指しているわけではない。なお、１つ以上の実施形態の特定の特徴、構造又は特性は、明示的には説明されていないが新しい実施形態を形成するために、任意の適切な態様で組み合わされてもよい。同様に、１つ以上の実施形態の特定の特徴、構造又は特性は、明示的には説明されていないが新しい実施形態を形成するために、明示的に説明されている実施形態から取り除かれてもよい。例えば図７の第４の例示的な実施形態を参照して説明されたライナーの「下方向に傾斜する後部セクション」という特徴は、新しい実施形態を形成するために、説明されたどの他の実施形態に組み込まれてもよい。同様に、他の実施形態を参照して説明された特徴も、明示的には説明されていないが新しい実施形態を形成するために、第４の実施形態に含めることも考えられる。
【００６９】
要素のリスト
１  搾乳器
１０  真空ポンプ
３０  連結器
３２  第１の管状セグメント
３４  第１のチャネル
３６  第２の管状セグメント
３８  第２のチャネル
４０  第１の管状セグメントの下端におけるねじ込みソケット
４２  乳房インターフェースの後端を受容するための受容路
５０  集乳器
７０  乳房インターフェース
１００  ライナー
１１０  前部セクション
１１２  円錐状前壁部
１１２ａ  前壁部の前面
１１２ｂ  前壁部の背面
１１４ａ  径方向外側の円周エッジ
１１４ｂ  径方向内側の円周エッジ
１１６ａ  前部開口
１１６ｂ  後部開口
１１８  乳房接触面
１２０  逆流バリア
１２２  基部壁部
１２４  リップ壁部
１２６  基部壁部とリップ壁部との間の環状溝
１２８  回転位置合わせマーク
１４０  中間セクション
１４２  Ｓ字形曲線を有する接続壁部
１４４  後部のテーパする漏斗状壁部
１４６  長手方向リブ
１７０  後部セクション
１７１  管状壁部
１７１ａ  下部内側表面部分
１７２  第１のフランジ／シーリングリップ
１７３  前方向に曲げられた第１のフランジによって画成される環状溝
１７４  第２のフランジ／フィンガグリップリング
１８０  内部圧力チャンバ
１９０  乳用通路
２００  ライナー支持フレーム
２００ａ  ライナー支持フレームの第１の相補形の部分
２００ｂ  ライナー支持フレームの第２の相補形の部分
２０１  （フォイル）ヒンジ
２０２  ライナー支持フレーム内部空間
２０４  前部リング
２０４ａ  第１の相補形の前部リング部分
２０４ｂ  第２の相補形の前部リング部分
２０６  分割後部リング
２０６ａ  第１の相補形の後部リング部分
２０６ｂ  第２の相補形の後部リング部分
２０８  リング半体間の割れ目
２１０ａ  第１のアーム
２１０ｂ  第２のアーム
２１２  第１のアームと第２のアームとの間のアクセス窓
２１４  アームと前部リングとの接合部
２１６  アームと前部リングとの接合部における大きい半径
２１８  アームと後部リングとの接合部
２２０  段部
２２２  フランジ相互作用部材
２２４  傾斜面
２２６  止め面
２２８  止め面と後部リングの前端との間の軸方向間隙
Ａｍａｊ  楕円形環状溝の長軸
Ａｍｉｎ  楕円形環状溝の短軸
Ｌ  乳房インターフェースの長手軸
Ｌｆｓ  ライナーの前部セクション／フレームの前部リングの長手軸
Ｌｒｓ  ライナーの後部セクション／フレームのアーム及び後部リングの長手軸
Ｒ  径方向
φ  長手軸セクションＬｆｓ、Ｌｒｓによって挟まれる角度
【図１Ａ】
0006456309.tif 000002
【図１Ｂ】
0006456309.tif 000003
【図２Ａ】
0006456309.tif 000004
【図２Ｂ】
0006456309.tif 000005
【図２Ｃ】
0006456309.tif 000006
【図２Ｄ】
0006456309.tif 000007
【図３Ａ】
0006456309.tif 000008
【図３Ｂ】
0006456309.tif 000009
【図３Ｃ】
0006456309.tif 000010
【図３Ｄ】
0006456309.tif 000011
【図４Ａ】
0006456309.tif 000012
【図４Ｂ】
0006456309.tif 000013
【図４Ｃ】
0006456309.tif 000014
【図５Ａ】
0006456309.tif 000015
【図５Ｂ】
0006456309.tif 000016
【図６Ａ】
0006456309.tif 000017
【図６Ｂ】
0006456309.tif 000018
【図７Ａ】
0006456309.tif 000019
【図７Ｂ】
0006456309.tif 000020